(57)【特許請求の範囲】
【請求項１】
上枠、下枠、縦枠、方立で構成される枠体を備えると共に、縦枠間には天板見切り縁を備え、この天板見切り縁の屋外側突出部と前記上枠の室内側突出部とによって天板を支持し、前記縦枠に形成された凹部に係止される係止部材を前記天板見切り縁の両側に設け、前記係止部材及び前記天板見切り縁を、前記縦枠間に室内側から略水平方向に着脱自在に構成したことを特徴とする出窓。
【発明の詳細な説明】
【０００１】
【発明の属する技術分野】
本発明は、縦枠間に天板見切り縁を備えた出窓に関する。
【０００２】
【従来の技術】
一般に、上枠、下枠、縦枠、方立で構成される枠体を備え、この枠体、更には天板を、出窓の屋根がすでに造り付けられたビル等の建屋の開口部に施工する形式のいわゆる「造り付け出窓」と呼称される出窓は知られている。
【０００３】
この種のものでは、出窓の屋根がすでに造り付けられた現場の開口部にまず枠体を取り付けた後、天板を室内側から取り付けるようにしている。
【０００４】
一方、上枠、下枠、縦枠、方立で構成される枠体を備え、かつ屋根を備える一体型出窓にあっては、通常、天板見切り縁が設けられ、この天板見切り縁の屋外側突出部と上枠の室内側突出部とによって天板が支持されている。
【０００５】
「造り付け出窓」等のような天板後付けタイプの出窓にあっては、従来、天板見切り縁が設けられていない。一体型出窓の従来の天板見切り縁は縦枠に対し、鉛直方向に取り付けられるので、天板見切り縁は取り外せず、天板を後付けできなくなり、「造り付け出窓」には使用できないからである。
【０００６】
【発明が解決しようとする課題】
しかしながら、天板見切り縁を設けない場合には、躯体に枠体を取り付ける前段階で、枠体が不安定になって躯体への取り付けが困難になるし、躯体側において天板を支持する部材が余分に必要になる等の問題がある。
【０００７】
一方、前記縦枠間に天板見切り縁を設けた場合、天板見切り縁の屋外側突出部と上枠の室内側突出部との間に隙間が形成される場合があり、この隙間を通じて天板が露出して意匠上見栄えが悪くなる等の問題がある。
【０００８】
そこで、本発明の第一の目的は、天板後付けタイプの出窓において縦枠間に天板見切り縁を設けることのできる出窓を提供することにある。
【０００９】
また、本発明の第二の目的は、天板見切り縁の屋外側突出部と上枠の室内側突出部との間に隙間が形成されることのない出窓を提供することにある。
【００１０】
【課題を解決するための手段】
請求項１に記載の発明は、上枠、下枠、縦枠、方立で構成される枠体を備えると共に、縦枠間には天板見切り縁を備え、この天板見切り縁の屋外側突出部と前記上枠の室内側突出部とによって天板を支持し、前記縦枠に形成された凹部に係止される係止部材を前記天板見切り縁の両側に設け、前記係止部材及び前記天板見切り縁を、前記縦枠間に室内側から略水平方向に着脱自在に構成したことを特徴とするものである。
【００１１】
この発明では、まず枠体を組み立てた後、枠体の上端に突っ張り用として天板見切り縁を連結すれば、この状態で枠体は強固になる。この枠体を建屋の開口部にはめ込み、枠体の上端および下端を例えばアンカーボルトに溶接すると共に例えばモルタルを充填する。この間の作業においては、枠体の上端が突っ張り用の天板見切り縁で連結されるので、取付作業時に枠体が不安定になることはなく、建屋の開口部に取り付ける作業が、従来のものに比べて容易になる。ついで、天板見切り縁を室内側に略水平に引き離し、その後に天板を上枠の室内側突出部の上に載せるようにして挿入し、最後には天板見切り縁を室内側から略水平に取り付けて、この天板見切り縁の屋外側突出部で天板を支持すればよい。
【００１４】
【発明の実施の形態】
以下、添付図面を参照して本発明の一実施形態を詳細に説明する。
【００１５】
図１は「造り付け出窓」の縦断面図を示す。この「造り付け出窓」は出窓の屋根１００がすでに造り付けられたビル等の建屋の開口部に施工される形式の出窓である。この出窓の枠体１は正面上枠、側面上枠、正面下枠、側面下枠、縦枠および方立で構成されるが、ここでは正面上枠３、正面下枠５および縦枠７が図示される。夫々の枠部材はアルミニウム押出し型材製である。
【００１６】
正面上枠３は躯体１０１から延びるアンカーボルト１０３に溶接１０５され、躯体１０１と正面上枠３との間にはモルタル１０７が充填される。また正面下枠５は躯体１１１から延びるアンカーボルト１１３に溶接１１５され、躯体１１１と正面下枠５との間にはモルタル１１７が充填される。１１９は引き違い式の障子であり、１２１は網戸である。
【００１７】
正面下枠５には底板を構成する造作材１２３が接続され、この造作材１２３は室内側に延びて、室内側の内装材１２５に接続される。
【００１８】
この実施形態では、枠体１の屋根１００側の構造に特徴を有する。すなわち枠体１の屋根１００側では、一対の縦枠７の上端部７Ａの間に跨るように天板見切り縁１１が設けられる。この天板見切り縁１１は断面略Ｔの字状のアルミニウム製の部材であり、この天板見切り縁１１の屋外側突出部１１Ａと上枠３の室内側突出部３Ａの上部には天板１３が支持される。また天板見切り縁１１の室内側突出部１１Ｂには造作材１２７が接続され、この造作材１２７は室内側に延びて、室内側の内装材１２９に接続される。
【００１９】
天板見切り縁１１の両端には、図２に示すように、ねじ１５を用いて係止部材１７が止着され、この係止部材１７の略Ｓ字状に曲がる係止部１７Ａは、図３に示すように、縦枠７に対して室内側から矢印Ｘの方向（略水平方向）に着脱自在に構成される。縦枠７の上端部７Ａには段部１９が形成され、この段部１９の立上がり壁１９Ａには係止部１７Ａを受け入れる凹部２１が形成され、この凹部２１に前記係止部１７Ａが着脱自在に係止される。
【００２０】
つぎに、この出窓の取付手順を説明する。
【００２１】
この実施形態では、まず枠体１を組み立てた後、枠体１の上端に突っ張り用として天板見切り縁１１を連結する。この状態で枠体１は強固になる。この枠体１を建屋の開口部にはめ込み、枠体１の上端および下端をアンカーボルト１０３，１１３（図１）に溶接すると共にモルタル１０７，１１７を充填する。
【００２２】
この間の作業においては、枠体１の上端が突っ張り用の天板見切り縁１１で連結されるので、取付作業時に枠体１が不安定になることはなく、建屋の開口部に取り付ける作業が、従来のものに比べて容易になる。
【００２３】
ついで、天板見切り縁１１を室内側に略水平に引き離し、その後に天板１３を上枠３の室内側突出部３Ａの上に載せるようにして挿入する。
【００２４】
しかる後、縦枠７の上端部７Ａに対して、天板見切り縁１１を室内側から略水平に取り付け、この天板見切り縁１１の屋外側突出部１１Ａで前記天板１３を支持する。また天板見切り縁１１の室内側突出部１１Ｂに造作材１２７を接続し、この造作材１２７を室内側の内装材１２９に接続する。
【００２５】
この実施形態によれば、矩形状の出窓について説明したが、台形状の出窓にあっても同様に本実施形態の適用が可能である。台形状の出窓にあっては、図４に実線で示すように、或いは図５に示すように、縦枠７が斜めに取り付けられる。天板見切り縁１１にねじ１５で止められる係止部材１７の先端の係止部１７Ａは略Ｓ字状に曲がっているので、この係止部材１７は、図４に示すように、矩形状の出窓（点線）、および台形状の出窓（実線）に兼用が可能である。
【００２６】
つぎに、参考例を説明する。
【００２７】
図２に示すように、天板１３は、天板見切り縁１１の屋外側突出部１１Ａと上枠３の室内側突出部３Ａの上部に支持される。この室内側突出部３Ａと屋外側突出部１１Ａとの間に、寸法δに亘って隙間１４が形成される場合、図１に矢印Ａで示すように、出窓の天板部を下から覗くと、この隙間１４を通じて天板１３が露出して意匠上の見栄えが悪いという問題がある。
【００２８】
この参考例によれば、図６に示すように、隙間１４を塞ぐため、上枠３の室内側突出部３Ａにねじ３１を用いて隠し部材３３が取り付けられ、この隠し部材３３には出窓の天板部を下から覗いた場合に、室内側突出部３Ａとほぼ同高位置になるように突出部３３Ａが一体的に形成される。
【００２９】
これによれぱ、隠し部材３３を介して天板見切り縁１１の屋外側突出部１１Ａと上枠３の室内側突出部３Ａとの間の隙間１４が隠されるので、天板１１が露出することはなく意匠上の見栄えを向上させることができる。
【００３０】
以上、一実施形態に基づいて本発明を説明したが、本発明はこれに限定されるものでないことは明らかである。
【００３１】
例えば、天板見切り縁１１に設けられた係止部材１７は、図２に示す形状に限定されるものではない。図７に示すように天板見切り縁１１の端面１１Ｃの例えばタッピングホールにねじ（係止部材）４１を設け、このねじ４１を段部１９の立上がり壁１９Ａに設けたＵ字溝４３に係止する、或いは図８に示すように天板見切り縁１１の端面１１Ｃに係止部材４５を一体的に形成し、この係止部材４５を段部１９の立上がり壁１９Ａに設けた凹溝４７に係止する等の種々の形態変更が可能である。また、前記実施形態では、矩形状の出窓において隠し部材３３を設けたものを説明したが、これに限定されず、この隠し部材３３は台形或いは弓状の出窓等においても適用が可能であることは言うまでもない。
【００３２】
【発明の効果】
請求項１に記載の発明では、天板見切り縁は縦枠間に室内側から略水平方向に着脱自在としたため、枠体を開口部に取り付けた後においても、天板を上枠の室内側突出部の上に載せるようにして挿入し、最後には天板見切り縁を室内側から略水平に取り付けて、この天板見切り縁の屋外側突出部で天板を支持すればよいので、天板を取り付けることが可能である。
【図面の簡単な説明】
【図１】本発明による出窓の一実施形態を示す縦断面図である。
【図２】上枠と天板見切り縁との接合構造を示す平面図である。
【図３】図２の斜視図である。
【図４】別の実施形態を示す図２相当図である。
【図５】別の実施形態を示す図３相当図である。
【図６】別の実施形態を示す断面図である。
【図７】別の実施形態を示す斜視図である。
【図８】別の実施形態を示す斜視図である。
【符号の説明】
１  枠体
３  正面上枠
３Ａ  室内側突出部
５  正面下枠
７  縦枠
１１  天板見切り縁
１１Ａ  屋外側突出部
１４  隙間
１３  天板
１７  係止部材
１７Ａ  係止部
３３  隠し部材
１００  屋根
１０３，１１３  アンカーボルト
１０７，１１７  モルタル
【図１】
0003581240.tif 000002
【図２】
0003581240.tif 000003
【図３】
0003581240.tif 000004
【図４】
0003581240.tif 000005
【図５】
0003581240.tif 000006
【図６】
0003581240.tif 000007
【図７】
0003581240.tif 000008
【図８】
0003581240.tif 000009